(57)【要約】  特に広帯域ポンプ光源、光パラメトリック発振器（ＯＰＯ）、及び少なくとも１つの追加の非線形プロセスを利用することにより、巨視的パワーの調整可能光を提供する光源。この光源は、特に１．１μｍ未満の波長で巨視的パワーの調整可能広帯域光を生成することができる。【選択図】図４
2020534571.tif 000002
【特許請求の範囲】
【請求項１】
低出力光源と光学増幅器を含む、広帯域ポンプビームを生成するように構成された少なくとも１つのポンプ光源と、
前記少なくとも１つのポンプ光源の発光を受け取り、フィルタ処理するために配置された波長及び／又は帯域幅スペクトルフィルタと、
光パラメトリック発振器（ＯＰＯ）モジュールであって、前記少なくとも１つのポンプ光源からの光を受け取り、ＯＰＯプロセスを介して第１出力光ビームと第２出力光ビームを生成するように構成された第１結晶と、前記広帯域ポンプビームと共振ＯＰＯ光波のＳＦＧプロセス用に構成された第２結晶を含む光学キャビティを含む光パラメトリック発振器（ＯＰＯ）モジュールと、を備える光源において、
前記少なくとも１つのポンプ光源及びＯＰＯモジュールは、前記少なくとも１つのポンプ光源の前記帯域幅を広く調整する、巨視的パワーの調整可能広帯域光を生成するように構成される、光源。
【請求項２】
前記少なくとも１つのポンプ光源及びＯＰＯモジュールは、前記少なくとも１つのポンプ光源より大きい帯域幅を有する、巨視的パワーの調整可能広帯域光を生成するように構成される、請求項１に記載の光源。
【請求項３】
前記少なくとも１つのポンプ光源及びＯＰＯモジュールは、前記第１結晶及び／又は第２結晶のポンプ受光帯域幅により限定される最大発光帯域幅を有する、巨視的パワーの調整可能広帯域光を生成するように構成される、請求項１に記載の光源。
【請求項４】
前記少なくとも１つのポンプ光源及びＯＰＯモジュールは、前記ポンプ光源とほぼ同じ帯域幅を有する、巨視的パワーの調整可能広帯域光を生成するように構成される、請求項１に記載の光源。
【請求項５】
ＳＦＧ発光は３００ＧＨｚを超える帯域幅を有する、請求項１に記載の光源。
【請求項６】
前記ＯＰＯモジュールは、前記少なくとも１つのポンプ光源の前記帯域幅を広く調整する、巨視的パワーの調整可能広帯域光を生成するために、ＳＦＧ発光と共振ＯＰＯ光波のＳＦＧのために構成された第３結晶をさらに含む、請求項５に記載の光源。
【請求項７】
前記少なくとも１つのポンプ光源は第１ポンプ光源と第２ポンプ光源を含み、前記第２ポンプ光源だけが前記第２結晶の励起のために構成される、請求項１に記載の光源。
【請求項８】
前記第２ポンプ光源は前記第１ポンプ光源の第二高調波発生器である、請求項７に記載の光源。
【請求項９】
前記第一及び／又は第２ポンプ光源の発光を受け取り、フィルタ処理するために配置されたスペクトルフィルタをさらに含む、請求項７に記載の光源。
【請求項１０】
前記フィルタは縦モードスクランブラを含む、請求項１に記載の光源。
【請求項１１】
前記第一及び／又は第２ポンプ光源のための縦モードスクランブラをさらに含む、請求項７に記載の光源。
【請求項１２】
前記低出力光源は少なくとも２つの光源の組合せを含み、前記２つの光源は、幅広化された合成出力光を提供するように配置され、前記フィルタは前記２つの光源のうち少なくとも１つをフィルタ処理する、請求項１に記載の光源。
【請求項１３】
高速波長変調機構をさらに含み、前記少なくとも１つの低出力ポンプ光源の出力光は高速波長変調により幅広化される、請求項１２に記載の光源。
【請求項１４】
高速波長変調機構と、
広帯域ポンプビームを生成するように構成された少なくとも１つのポンプ光源と、
光パラメトリック発振器（ＯＰＯ）モジュールであって、前記少なくとも１つのポンプ光源からの光を受け取り、ＯＰＯプロセスを介して第１出力光ビームと第２出力光ビームを生成するように構成された第１結晶と、前記広帯域ポンプビームと共振ＯＰＯ光波のＳＦＧプロセス用に構成された第２結晶を含む光学キャビティを含む光パラメトリック発振器（ＯＰＯ）モジュールと、を備える光源において、
前記少なくとも１つのポンプ光源及びＯＰＯモジュールは、前記少なくとも１つのポンプ光源の前記帯域幅を広く調整する、巨視的パワーの調整可能広帯域光を生成するように構成され、少なくとも１つのポンプ光源は、少なくとも２つのポンプ光源の組合せを含み、前記２つの光源は、幅広化された合成出力光を提供するように配置され、前記少なくとも１つのポンプ光源の出力光は高速波長変調により幅広化され、前記少なくとも１つのポンプ光源は同期された２つのレーザダイオードを含み、
前記２つのレーザダイオードの出力光は逆相電流で掃引されて、実質的に一定のパワーと、個別の前記ダイオードの出力帯域幅より広い出力帯域幅を有する合成出力光を生成する、光源。
【請求項１５】
少なくとも１つのポンプ光源は広帯域低出力ポンプ光源である、請求項１２に記載の光源。
【請求項１６】
少なくとも１つのポンプ光源により励起される光パラメトリック発振器（ＯＰＯ）とＳＦＧ技術との組合せを使用することにより、１．１μｍ未満の波長で３００ＧＨｚより広い広帯域放射を生成する方法であって、前記ポンプ光源は低出力光源及び光学増幅器と、前記低出力光源の発光を受け取るように設置された波長及び／又は帯域幅において調整可能なスペクトルフィルタと、を備え、
前記ポンプ光源により、広帯域ポンプビームを、第１結晶と第２結晶を含む光学キャビティを含むＯＰＯモジュールに送達することと、前記第１結晶は前記少なくとも１つのポンプ光源からの光を受け取り、ＯＰＯプロセスを介して第１出力光ビームと第２出力光ビームを生成し、前記第２結晶は前記広帯域ポンプビームと共振ＯＰＯ光波のＳＦＧを行う、送達することと、
それによって、前記少なくとも１つのポンプ光源の前記帯域幅を広く調整する、巨視的パワーの調整可能広帯域光を生成することと、を含む方法。
【請求項１７】
少なくとも第一及び第２ポンプ光源により励起される光パラメトリック発振器（ＯＰＯ）を使用することにより、１．１μｍ未満の波長で３００ＧＨｚより広い広帯域放射を生成する方法であって、
前記第１ポンプ光源を介してポンプビームを生成することと、
前記第２ポンプ光源を介して３００ＧＨｚを超える広帯域ポンプビームを生成することであって、前記広帯域ポンプビームは前記第１ポンプ光源の前記ポンプビームより短い波長を有する、生成することと、
前記広帯域ポンプビームを、第１結晶と第２結晶を含む光学キャビティを含むＯＰＯモジュールに送達することであって、前記第２結晶は、前記第１結晶のそれと等しい共振波長と、３００ＧＨｚより広い帯域幅の非共振波を有し、
前記第１結晶は前記第１ポンプ光源からの光を受け取り、ＯＰＯプロセスを介して第１出力光ビームと第２出力光ビームを生成し、前記第２結晶は、前記第２ポンプ光源の前記ポンプビームのＯＰＯプロセスのために構成される、送達することと、
それによって、前記少なくとも１つのポンプ光源の前記帯域幅を広く調整する、巨視的パワーの調整可能広帯域光を生成することと、を含む方法。
【請求項１８】
前記フィルタは波長及び／又は帯域幅において調整可能である、請求項９に記載の光源。
【発明の詳細な説明】
【技術分野】
【０００１】
関連出願の相互参照
本願は、２０１７年９月２１日に出願された、“TUNABLE LIGHT SOURCE WITH BROADBAND OUTPUT”と題する米国特許出願第６２／５６１，４１３号及び２０１７年１１月１０日に出願された、“TUNABLE LIGHT SOURCE WITH BROADBAND OUTPUT”と題する米国特許出願第１５／８０９，６２４号の利益を主張するものであり、両出願の全体を参照により本願に援用する。
【０００２】
本発明は一般に、巨視的パワーの調整可能光を提供する光源に関し、より詳しくは、広帯域ポンプ光源、光パラメトリック発振器（ＯＰＯ：optical parametric oscillator）、及び少なくとも１つの追加の非線形プロセスを利用して、特に１．１μｍ未満の波長で巨視的パワーの調整可能広帯域光を生成する光源に関する。
【背景技術】
【０００３】
光パラメトリック発振器（ＯＰＯ）は、レーザのそれに匹敵する特性を有する放射を発する光源である。ＯＰＯは、短い波長のポンプ光子を２つのより長い波長の光子、すなわちシグナル及びアイドラ光子に分割する非線形デバイスである。シグナル及びアイドラ光子の波長は相互に独立しておらず、波長において調整されてよい。
【０００４】
図１に示されるように、ＯＰＯは、周波数ωｐの入力レーザ波（「ポンプ光」）を、二次非線形光学相互作用を介して、より低い周波数（ωｓ、ωｉ）の２つの出力波に変換する。出力波の周波数の和は、入力波の周波数と等しい：ωｓ＋ωｉ＝ωｐ。歴史的経緯から、より高い周波数ωｓの出力波はシグナルと呼ばれ、より低い周波数ωｉの出力波はアイドラと呼ばれる。ＯＰＯはすべての入力エネルギーをシグナルとアイドラに変換するわけではないため、残りのポンプ波も出力される。
【０００５】
ＯＰＯは光学共振器を必要とするが、レーザとは異なり、ＯＰＯは刺激された発光ではなく非線形結晶内の直接的な周波数変換に基づく。ＯＰＯは、入力光源（ポンプ光）に関するパワー閾値を示し、それ未満ではシグナル及びアイドラ帯域内の出力パワーは無視することができる。
【０００６】
ＯＰＯは、光学共振器（キャビティ）と非線形光学結晶を含む。光学キャビティは、光波のための共振器を形成するミラー装置である。キャビティ内に拘束された光は何度も反射され、その結果、非線形結晶内にマルチパスができる。光学キャビティは、シグナル及びアイドラ波の少なくとも一方を共振させる役割を果たす。非線形光学結晶内で、ポンプ光、シグナル、及びアイドラビームは重なる。
【０００７】
従来のレーザは、限定された固定波長を生成するが、ＯＰＯは、エネルギー及びモーメントの保存（位相整合による）によって特定されるシグナル及びアイドラの波長を広い範囲で変えることができるため、望ましいことがある。それゆえ、例えば中赤外、遠赤外、又はテラヘルツスペクトル域内の波長にアクセスすることができ、これらはレーザから得るのは難しい場合がある。それに加えて、ＯＰＯは、例えば位相整合条件を変えることにより、広い波長調整可能性を可能にする。これによってＯＰＯは、例えばレーザ分光にとって有益なツールとなる。追加の非線形プロセスを利用することは、アクセス可能な波長の範囲をさらに広げることができる（例えば、近赤外、可視、及び／又は紫外スペクトル域）。
【０００８】
それに加えて、スペクトルフィルタ処理されるプラズマ源やスーパコンティニウム白色光レーザ等のこれまでの光源も利用することができるが、これらの光源には、光子（エネルギー）効率が低い（典型的に、１ｎｍあたり数ｍＷの出力パワー）という欠点がある。他方で、ＯＰＯ／非線形光学系（ＮＬＯ）技術は、それよりはるかに高いエネルギー効率を提供することがあり、狭帯域出力パワーはより大きく、１０ｍＷを超える。それゆえ、スーパコンティニウム及びプラズマ源は広いスペクトルを生成し、そこから（より狭い帯域幅を必要とする多くの用途のために）一部がカットオフされるが、ＯＰＯは調整可能な、比較的狭帯域の出力を生成することができる（そのため、フィルタ処理によりパワーが無駄になることがない）。したがって、業界では上述の欠点の１つ又は複数に対応する必要がある。
【発明の概要】
【０００９】
本発明の実施形態は、ＯＰＯ技術の他、また別のＮＬＯプロセスに基づく連続波（ｃｗ）光源を提供する。特に、典型的なｃｗ  ＯＰＯデバイスは、長いコヒーレンス長の高出力波長調整可能近乃至中赤外域（ＮＩＲ乃至ＭＩＲ）放射を生成するために使用されるが、本発明は短波長ＮＩＲ、ＶＩＳ（可視）、さらにはＵＶ（紫外）域内で短いコヒーレンス長の高出力可変波長発光を提供することができる。特に、ＯＰＯモジュールは、広帯域ポンプ光源を利用し、２つの光波、すなわち長いコヒーレンス長を有し得る共振ＯＰＯ光波と、ポンプ光源の帯域幅を広く調整する短いコヒーレンス長の非共振波を生成するように構成される。少なくとももう１つのキャビティ内非線形プロセス（例えば、和周波発生（ＳＦＧ：sum frequency generation）又はＯＰＯ）は、ポンプ光源より短い波長を有し、且つ広帯域である少なくとももう１つの出力ビームを発生させる。希望に応じて、本発明の光源は任意選択により第２高出力広帯域ポンプ光源を利用してもよい。
【００１０】
本願の光源システムは、波長アジリティと高出力を組み合わせた発光スペクトルを提供し、これは顕微鏡検査やバイオテック業界を含む様々な用途に利用することができるであろう。
【００１１】
本発明のその他のシステム、方法、及び特徴は、当業者にとって、以下の図面と詳細な説明をよく見て、よく読めば明らかであり、又は明らかとなるであろう。このような追加的なシステム、方法、及び特徴はすべて、本説明の中に含められ、本発明の範囲内であり、付属の特許請求の範囲により保護されるものとする。
【００１２】
添付の図面は、本発明をさらに理解することができるようにするために含められており、本明細書に組み込まれ、その一部を構成する。図面は、本発明の実施形態を示しており、説明文と共に本発明の原理を説明する役割を果たす。図面中の構成要素は必ずしも正確な縮尺によるとはかぎらず、代わりに本発明の原理を明確に示すことに重点が置かれている。図中、同様の構成要素の各々は同様の番号で示されている。明瞭化を目的として、すべての図面においてすべての構成要素に符号が付されているわけではない場合がある。
【図面の簡単な説明】
【００１３】
【図１】図１は、先行技術によるＯＰＯの一般的略図である。
【図２】図２は、本発明の第１実施形態による高出力ポンプ光源により励起されるＯＰＯモジュールの略図である。
【図３】図３は、本発明の第２実施形態による低出力光源と光学増幅器から形成される高出力ポンプ光源により励起されるＯＰＯモジュールの略図である。
【図４】図４は、本発明の第３実施形態による高出力ポンプ光源と第２光源により励起されるＯＰＯモジュールの略図である。
【図５】図５は、本発明の第４実施形態による高出力ポンプ光源と第２光源により励起されるＯＰＯモジュールの略図である。
【図６】図６は、ＯＰＯモジュールを励起するために使用されてよいポンプ光源の例の、より詳細な略図である。ポンプ光源はマルチモード（ａ）又は広帯域出力（ｂ）を生成する。
【図７】図７は、例示的な広帯域ポンプ光源とそれに続く調整可能スペクトルフィルタの、より詳細な略図である。
【発明を実施するための形態】
【００１４】
以下の定義は、本明細書中で開示される実施形態の特徴に適用される用語を理解するのに有益であり、本開示内の要素のみを定義するものである。特許請求の範囲内で使用される用語に対する限定は意図されず、又は定義により導かれるべきでもない。付属の特許請求の範囲の中で使用される用語は、該当する技術分野におけるそれらの慣例的な意味によってのみ限定されるべきである。
【００１５】
通常、２つ以上の縦モードを有する光源は、「マルチ縦モード」と呼ばれる。しかしながら、本開示内で使用されるかぎり、「マルチ縦モード」とは、３つを超える縦モードの数を指す。これに関して、２又は３のモード数は、「数個の単一モード」と呼ばれ得る。
【００１６】
本開示内で使用されるかぎり、「広帯域」とは３００ＧＨｚを超える帯域幅を指し、それが複数の縦モード、単一の幅広線（線は複数の場合がある）、又は任意スペクトル分布により形成されるか否かを問わず、また縦モードスクランブルの前又は後の何れかを問わない。これに関して、広帯域、広い線幅、広い帯域幅、及び広いスペクトル幅は同じ現象を表す。
【００１７】
本開示内で使用されるかぎり、「縦モードスクランブル」とは、連続的な、又はホッピングを介した高速モード周波数チューニングの方法を指す。これに関して、「高速」モード周波数チューニングとは、ある用途について適時に分解可能なものより速いことを意味する。高速モード周波数チューニングの一例は、１００Ｈｚを超える繰返し率である（しかしながら、これは単なる例にすぎず、本発明における高速モード周波数チューニングへの言及は１００Ｈｚより高い値のみに限定されないと理解されたい）。
【００１８】
本開示内で使用されるかぎり、ＯＰＯは一般に、パルスＯＰＯではなく連続波ＯＰＯ（ｃｗ−ＯＰＯ）を指す。一般に、「連続波」又は「ＣＷ」とは、パルス状の出力ビームを有するｑスイッチ、利得スイッチ、又はモードロックレーザではなく、連続的な出力ビームを生成するレーザを指し、これは「フリーランニング」と呼ばれることがある。
【００１９】
本開示内で使用されるかぎり、より短いＮＩＲは１．１μｍ未満のＮＩＲ波長を指す。
【００２０】
本開示内で使用されるかぎり、「ミラー」とは、少なくとも１つの反射面を有する光学素子を指す。反射面は、１方向から受け取った光を反射するが、その他の方向から受け取った光は透過させ得る。反射面は、ある波長を反射し、その他の波長を透過させ得る。さらに、反射面は幾つかの波長を部分的に透過させ、部分的に反射し得る。
【００２１】
本開示内で使用されるかぎり、「巨視的パワー」とは、１０ｍＷを超えるパワーレベルを指す。もちろん、１００ｍＷより高い、又は１Ｗより高いパワーレベルもまた巨視的と考えられると理解されたい。
【００２２】
本開示内で使用されるかぎり、少なくとも１つのポンプ光源及び、その少なくとも１つのポンプ光源の「帯域幅を広く調整する」ＯＰＯモジュールにより生成される発光とは、以下の何れかを指し、ポンプ光源に関する共振ＯＰＯ光波に依存する：（１）共振ＯＰＯ光波がポンプ光源よりはるかに狭く（これは最も典型的である）、ＮＬＯ−結晶のポンプ受光帯域幅がポンプ帯域幅より広い場合、少なくとも１つの発光はポンプ光源とほぼ同じ帯域幅（ＧＨｚ単位で測定）を有する。（２）共振ＯＰＯ光波も広帯域であり、ＮＬＯ−結晶のポンプ受光帯域幅がポンプ帯域幅より広い場合、少なくとも１つの発光は、ポンプ光源よりはるかに広い帯域幅（ＧＨｚ単位で測定）を有する。（３）共振ＯＰＯ光波がポンプ光源よりはるかに狭く、ＮＬＯ−結晶のポンプ受光帯域幅がポンプ帯域幅より狭い場合、何れかの、又は両方のＮＬＯ−結晶の受光帯域幅は発光帯域幅に対する上限を設定する。
【００２３】
ここで、本発明の実施形態を詳しく見るが、その例が添付の図面に示されている。可能なかぎり、図面及び説明文中で、同じ又は同様の部品を指すために同じ参照番号が用いられている。
【００２４】
一般に、本発明の実施形態は、より短波長のＮＩＲ、ＶＩＳ、及び又はＵＶ内の短いコヒーレンス長（好ましくは、０．５ｍｍ未満）の巨視的パワーの調整可能光を生成するための装置と方法を含む。特に、実施形態は、広帯域ポンプ光源をＯＰＯ技術と共に、その他の非線形プロセスと組み合わせて使用することによって、このような光を生成する。これは、典型的なｃｗ  ＯＰＯデバイスを使って長いコヒーレンス長の巨視的パワーの波長調整可能近乃至中赤外（ＮＩＲ乃至ＭＩＲ）放射を生成する先行技術のＯＰＯとは対照的である。幾つかの実施形態において、本発明は、広帯域ポンプ（例えば、全体で３００ＧＨｚより広い幅を有する広帯域ポンプ）を使ってＯＰＯモジュールを励起することにより所望の発光を実現してよい。本発明の光源は、任意選択により、第一のポンプ光源のそれとは異なる波長を有する第２ＯＰＯポンプ光源を利用してもよい。
【００２５】
本発明の実施形態によれば、ＯＰＯモジュールは、ＯＰＯ発振閾値より高く励起される。例えば、ＯＰＯモジュールは、ＯＰＯ発振閾値の約２．５倍まで励起されてもよい。このようなポンプパワーは、単一縦モード共振ＯＰＯ光波を発生させる可能性がある。他の実施形態によれば、ＯＰＯはＯＰＯ発振閾値の２．５倍超に、例えば、ＯＰＯ発振閾値の約３倍超に、ＯＰＯ発振閾値の約３．５倍超に、約４倍超に、約４．５倍超に、さらには約５倍超に励起されてもよい。ＯＰＯ発振閾値の約２．５倍を超えるポンプパワーを送達する高出力ポンプ光源を利用する実施形態においては、共振ＯＰＯ光波のマルチ縦モード動作が実現される可能性がある。非限定的な例として、例示的なＯＰＯ発振閾値が約２Ｗとすると、２〜５ワットを送達する高出力ポンプ光源は、共振波を単一縦モードのままとし得、それに対して、５ワットより高い高出力ポンプレベルでは、共振波はマルチ縦モード及び／又は幅広化され始め得る。
【００２６】
次に、図面の各種の図を参照するが、図中、同様の参照文字は同様の部品を指しており、図２に本発明による光源の一実施形態が示されている。図のように、高出力ポンプ光源１１０は、ＯＰＯ発振閾値より高いパワーレベルでＯＰＯモジュール１５０を励起し、それが今度は、発光スペクトルを生成する。各種の実施形態によれば、高出力ポンプ光源１１０は、一般的な高出力レーザ又はダイオードの形態であっても、増幅ダイオード又はレーザの形態であってもよい。例示的な実施形態によれば、高出力ポンプ光源１１０は広帯域光源である（例えば、全体で３００ＧＨｚより広い）。
【００２７】
図２に示されるように、ＯＰＯモジュール１５０は、ＮＬＯ−結晶１５４（ＯＰＯプロセス用に構成されていてよい）、及び少なくとも１つのＮＬＯ−結晶１５６（ＳＦＧ−又はＯＰＯ−プロセス用に構成されていてよい）の内部で生成された光波の少なくとも１つについて共振する光学共振器１５２を含む。ＮＬＯ−結晶１５４、１５６のどちらにも、特に十分に短いＮＬＯ−結晶に加え、任意選択により、特殊な形状の利得曲線を利用することにより（例えば、ビーム経路に沿ったマルチグレーティング又はチャープ格子を備える強誘電体でポーリングされたＯＰＯ結晶を使用することにより）、十分なポンプ受光帯域幅が設けられる。これによって、発光スペクトルの詳細な形状の制御が可能となり得る。例えば、チャープポーリングを有する結晶では、ポーリング期間はビーム伝搬に沿ってわずかに変化することがあり、その結果、ＯＰＯのための利得曲線とポンプ受光帯域幅が広がる。ビーム経路に沿ったマルチグレーティングを有する結晶を使用すると、異なるポーリングセクションに関する利得曲線の重畳が生じる。例えば、１つの結晶は、より広い波長チューニングのために幾つかの平行チャープ又はマルチグレーティングエリアを含み得る。幾つかの実施形態において、チャープファンアウトグレーティングが使用されてもよく、これは、ビーム伝搬方向に沿って、及びそれに対して垂直に、ポーリング期間の長さが徐々に変化する。
【００２８】
一実施形態によれば、本発明の光源は、ＯＰＯモジュール１５０の発光スペクトルは一部分において（例えば、共振波が単一縦モードである場合）スペクトル的に単一縦モードであり得、一方でＯＰＯモジュール１５０の他の部分の発光スペクトルは高出力ポンプ光源１１０の帯域幅を広く調整するように、構成される。後者は、非共振ＯＰＯ光波及び、ポンプ光波が関わる非線形プロセスを指す。それに加えて、共振ＯＰＯ光波が関わるキャビティ内非線形プロセスは非常に効率的であり、それは共振ＯＰＯ光波の高出力による。例えば、一部のＯＰＯについて、共振ＯＰＯ光波のパワーレベルは１０Ｗ、１００Ｗ、さらには１０００Ｗを超える場合がある。広帯域ポンプ光源が関わる非線形プロセスにより、広帯域出力の生成が可能となる。特に、追加の非線形プロセスを取り入れることにより、アクセス可能な波長範囲（例えば、近赤外、可視、及び／又は紫外スペクトル域）を拡張することができる。したがって、ポンプのキャビティ内ＳＦＧと共振ＯＰＯ光波は１つの好ましいプロセスである。このプロセスの出力は、共振ＯＰＯ光波とのＳＦＧのために再使用されてよい。
【００２９】
他の実施形態によれば、光源は、ＯＰＯモジュール１５０の発光スペクトルがすべてマルチ縦モードとなるように構成される。例えば、共振波がマルチ縦モードである場合（例えば、ポンプパワーはＯＰＯ閾値の２．５倍よりはるかに高い）、ＯＰＯモジュール１５０はすべての出力波がマルチ縦モードである発光スペクトルを提供するように構成されてよい。
【００３０】
さらに示されているように、任意選択による第１スペクトルフィルタ１３０が高出力ポンプ光源１１０とＯＰＯモジュール１５０との間に配置されて、高出力ポンプ光源１１０からのスペクトルの一部をフィルタ処理し、及び／又は高出力ポンプ光源１１０の出力のスペクトル幅を変化させてもよい。
【００３１】
ＯＰＯモジュール１５０は次に、ＯＰＯモジュール１５０の出力側に配置された任意選択による第２スペクトルフィルタ１６０に光を出力する。第２スペクトルフィルタ１６０は、ＯＰＯ出力スペクトルの一部をフィルタ処理するか、又はＯＰＯ出力のスペクトル幅を変化させるために使用されてよい。光源はこのようにして、短いコヒーレンスの巨視的パワーの可変波長及び可変帯域幅発光を提供する。
【００３２】
図３は、本発明による光源の他の実施形態を示す。この実施形態は図２に示されるものと似ているが、広帯域光学増幅器２４０が追加されており、これは光源２１０（又は任意選択による第１スペクトルフィルタ１３０）とＯＰＯモジュール１５０との間に配置されて、光源２１０（例えば、１００ｍＷ未満、又は１０ｍＷ未満、さらにはそれよりはるかに低いパワーレベルを有する、例えばレーザ、ダイオード、ランプ、又はスーパコンティニウム光源であり得る）の低出力を、ＯＰＯ閾値を超えるのに十分なパワーレベルに増幅する。増幅器の高出力はＯＰＯモジュール１５０を励起し、それが今度は、巨視的パワーの可変波長広帯域光スペクトルを生成する。
【００３３】
図２に関して説明した実施形態と同様に、図３のＯＰＯモジュール１５０は、少なくともＮＬＯ−結晶１５４、１５６の中で生成された光波の１つについて共振する光学共振器１５２を含む。結晶１５４、１５６には十分に大きい位相整合帯域幅が設けられる。次に、ＯＰＯモジュール１５０は光を任意選択による第２スペクトルフィルタ１６０に出力し、これはＯＰＯ−／ＳＦＧ−出力スペクトルの一部をフィルタ処理するか、又はＯＰＯ−／ＳＦＧ−出力のスペクトル幅を変化させるために使用されてよい。
【００３４】
図４は、本発明による光源の他の実施形態を示す。この実施形態は図２に示したものと同様であるが、追加の光源３２０を有する。図２に関して説明したように、高出力ポンプ光源３１０（例えば、一般的な高出力近赤外（ＮＩＲ）レーザ又は増幅ダイオード若しくはレーザ）はＯＰＯモジュール１５０を励起し、それが今度は、巨視的パワーの可変波長広帯域光スペクトルを生成する。
【００３５】
図４に示されるように、ＯＰＯモジュール１５０は、ＮＬＯ−結晶１５４（１つのＯＰＯ−プロセス用に構成されていてよい）と、少なくとも１つのＮＬＯ−結晶１５６（ＳＦＧ−又は他のＯＰＯプロセス用に構成されていてよい）との中で生成される光波の少なくとも１つについて共振する光学共振器１５２を含む。ＮＬＯ−結晶１５４、１５６のどちらにも、特に十分に短いＮＬＯ−結晶を利用することにより、十分に広い位相整合帯域幅が設けられる。
【００３６】
図４に示される実施形態では、高出力ポンプ光源３１０はＯＰＯモジュール１５０に直接発光を提供し、中間スペクトルフィルタがない。しかしながら、希望により、高出力ポンプ光源３１０からのスペクトルの一部をフィルタ処理するか、又は高出力ポンプ光源３１０の出力のスペクトル幅を変化させるために、スペクトルフィルタ（図示せず）が高出力ポンプ光源３１０とＯＰＯモジュール１５０との間に配置されてよいと理解されたい。図４に示されるように、追加の光源３２０からのスペクトルの一部をフィルタ処理するか、又は追加の光源３２０の出力のスペクトル幅を変化させるために、任意選択によるスペクトルフィルタ３３０が追加の光源３２０とＯＰＯモジュール１５０との間に配置されてもよい。
【００３７】
図４にさらに示されているように、追加の光源３２０の発光はＮＬＯ−結晶１５６だけを通過し得る。そのため、追加の光源３２０はＳＦＧ生成に使用されるものであってもよい。次に、ＯＰＯモジュール１５０は光を任意選択によるスペクトルフィルタ１６０に出力し、これはＯＰＯ−／ＳＦＧ−出力スペクトルの一部をフィルタ処理するか、又はＯＰＯ−／ＳＦＧ−出力のスペクトル幅を変化させるために使用されてもよい。
【００３８】
各種の実施形態によれば、ＯＰＯモジュールは２つのＯＰＯプロセスを含んでいてよい。このことは、本願と同時係属中の米国特許出願第１５／６４６，４３４号（同出願の開示の全体を参照によって本願に援用する）に記載されている。ＯＰＯモジュール内に２つのＯＰＯプロセスを提供することにより、広帯域ポンプ光源が使用された場合に、広帯域非共振ＯＰＯ光波発光が提供され得る。
【００３９】
図５は、２つのＯＰＯプロセス（ＯＰＯ−１及びＯＰＯ−２）を利用するＯＰＯモジュールの非常に高度な実施形態を示す。両方のＯＰＯ結晶は、それぞれの高出力広帯域ポンプ光源Ｐ１及びＰ２により励起される。幾つかの実施形態によれば、ポンプ光源Ｐ２はポンプ光源Ｐ１のＳＨＧであってよい。ＯＰＯ−１及びＯＰＯ−２はどちらも一般的な共振器（ボウタイリング共振器等）を有する。ＯＰＯ−１の共振波（＝Ｓ１）とＯＰＯ−２の共振波（＝Ｉ２）は実質的に等しい。第３ＮＬＯ−プロセス（ＳＦＧ−１）は、Ｐ１とＳ１の和周波発生を利用する。第４ＮＬＯ−プロセス（ＳＦＧ−２）は、ＳＦＧ−１とＳ１の和周波発生を利用し得る。以下の出力光が広帯域であると予想される：Ｉ１、Ｓ２、ＳＦＧ−１、及びＳＦＧ−２。
【００４０】
コヒーレンス長を短縮するためのまた別の手段が、ポンプ光源若しくはスペクトルフィルタの特徴（恐らく、ポンプビームの縦モードスクランブルを可能にする）、又は共振ＯＰＯ−光波モードに対するディザから得られてもよい。このような手段は、２０１７年９月２１日に出願された“Light Source With Multi-Longitudinal Mode Continuous Wave Output Based On Multi-Mode Resonant OPO Technology”と題する米国仮特許出願第６２／５６１，４２８号に記載されている（同出願の開示を参照により本願に援用する）。例えば、共振波をスクランブルするための追加のスクランブル手段がＯＰＯモジュール内に提供されてもよい。このようなスクランブルは、幾つかの実施形態において、共振器の長さの高速変化又は波長選択素子の高速ディザリングにより実現されてよい。追加的な縦モードスクランブルも考慮されてよい（例えば、キャビティ長又は有効なエタロンの厚さ又は有効な強誘電体格子周期の長さの高速ディザリング。後の２つは、機械的又は電気光学的に行われてよい）。これにより、共振ＯＰＯ−光波の縦モードスクランブルが可能となる。
【００４１】
図６は、ポンプ光源のコヒーレンスが、１つの共通のポンプ光源（例えば、ポンプ光源１１０、２１０、３２０等）を形成する少なくとも２つの光源（例えば、レーザダイオード１及びレーザダイオード２）の出力を合成することによってどのように短縮され得るかの一例を示す。図６ａは、わずかに波長分離された２つのモードがどのように足し合わせられ得るかを示す。追加的な高速波長変調により、出力の幅が広くなる。この方式では、例えば、おそらくは同じ２つのレーザダイオードが使用され、逆相電流で掃引されてよい。電流掃引により波長及びパワー掃引が行われる。この例において、２つのレーザダイオードの中心波長はわずかに異なってもよい。十分に同期させると、合成された出力のパワーをほぼ一定に保つことができ、その一方で、合成出力の帯域幅は縦モードスクランブルにより広げられる。図６ｂは、すでに広帯域の２つの光源が組み合わせられる単純なケースを表す。この構成では、２つのレーザダイオードの中心波長はわずかに異なる。その結果、合成された出力は幅広となる。
【００４２】
図７は、超広帯域のポンプ光源（例えば、ポンプ光源１１０、２１０等であり、これらは例えば、ＬＥＤ、スーパルミネッセンスダイオード、スーパコンティニウム、又はその他の超広帯域光源を含んでいてよい）の出力スペクトルを操作するためにチューナブルフィルタ１３０がどのように使用され得るかの例を示す。図７ａに示されるように、チューナブルフィルタ１３０を使用しない場合の超広帯域ポンプ光源（例えば、ポンプ光源１１０、２１０等）の発光出力スペクトルは、図７ｂに示されるように超広帯域ポンプ光源（例えば、ポンプ光源１１０、２１０等）からの出力がチューナブルフィルタ１３０を通った場合の発光出力スペクトルのそれよりはるかに広くてもよい。この例では、操作された出力スペクトルを提供するために、チューナブルバンドパス又はチューナブルロングパス及びショートパスの組合せが使用されてよい。
【００４３】
このように、本発明は、短いコヒーレンス長の巨視的パワーの調整可能光を生成できる光源を提供する。特に、広帯域ポンプ光源を利用することにより、ＯＰＯモジュールを励起して、ＯＰＯモジュールが非共振ＯＰＯ光波の波長でより短いコヒーレンス長（従来のＯＰＯと比較して）の出力を生成するようにしてよい。特に、高出力レベルのポンプ光源を利用することにより、ＯＰＯを励起して、ＯＰＯが、背景技術の項で述べたように一般的にシグナル及びアイドラと呼ばれる２つの新たな光波を生成するようにしてよい。ＯＰＯキャビティは、これら２つの新たな光波のうちの少なくとも一方のための共振であり、光源の出力の少なくとも一部は高出力ポンプ光源の帯域幅を広く調整する（好ましくは、広帯域の出力を提供する）。ＯＰＯモジュールには、広いポンプ受光帯域幅と幅広化された利得曲線（例えば、チャープ強誘電体ポーリングによるか、又はマルチポーリング結晶チップを使用することにより複数の利得ピークを持つ）を有するＮＬＯ結晶が設けられてよい。追加的なキャビティ内ＮＬＯプロセス（例えば、共振波とのＳＦＧ又は第２ＯＰＯプロセス）によって、任意選択により、異なる波長と巨視的パワーレベル（典型的に、１０ｍＷより大きく、恐らく１Ｗを超える）を効率的に生成してよい。システムは任意選択により、高出力共振波と混合するために第２高出力広帯域光源を使用してもよい。希望により、ダイオードと増幅器との間に可変スペクトルフィルタを設置して、オンデマンド帯域幅を可能にしてもよい。
【００４４】
本発明によれば、共振ＯＰＯ光波に関わるあらゆる生成が、キャビティ内共振波のパワーが大きいことにより、非常に効率的となる。有利な点として、本発明の光源は、より短いＮＩＲ、ＶＩＳ、さらにはＵＶ波長範囲内の放射を効率的に生成できる。このような光源システムは、顕微鏡検査やバイオテックをはじめとする様々な用途に適した光を生成できる。
【００４５】
上記を考慮し、本発明は、本発明の改良や変形型も、これらが後述の特許請求の範囲及びそれらの等価物の範囲内に含まれるかぎり、カバーするものとする。
【図１】
2020534571.tif 000003
【図２】
2020534571.tif 000004
【図３】
2020534571.tif 000005
【図４】
2020534571.tif 000006
【図５】
2020534571.tif 000007
【図６】
2020534571.tif 000008
【図７】
2020534571.tif 000009
【国際調査報告】
2020534571.tif 000010
2020534571.tif 000011
2020534571.tif 000012